(57)【要約】【課題】電線の引き回しに自由度のある電気部品を提供する。【解決手段】電気部品１００では、筐体１と、筐体１から突出した隣り合う２つの接続端子２とを備えた電気部品１００において、接続端子２は、電線４を挿通可能な挿通孔２ｂが形成された筒状部２ａを有し、隣り合う２つの接続端子２の筒状部２ａは、筐体１に対して互いに異なる角度で突出して設けられているとともに、筒状部２ａは、挿通孔２ｂの一端側と他端側のいずれの方向からでも電線４を挿通可能に、筐体１から離間して配設されている、構成とした。【選択図】図１
2014203728.tif 000002
【特許請求の範囲】
【請求項１】
筐体と、該筐体から突出した隣り合う２つの接続端子とを備えた電気部品において、
前記接続端子は、電線を挿通可能な挿通孔が形成された筒状部を有し、隣り合う２つの前記接続端子の筒状部は、前記筐体に対して互いに異なる角度で突出して設けられているとともに、
当該筒状部は、前記挿通孔の一端側と他端側のいずれの方向からでも前記電線を挿通可能に、前記筐体から離間して配設されていることを特徴とする電気部品。
【請求項２】
２つの前記接続端子の筒状部は、前記筐体の側面と対向して配置されるとともに、前記接続端子の前記挿通孔の中心を通る直線が前記側面に沿った平面に対してそれぞれ斜めに交差するように形成されていることを特徴とする請求項１に記載の電気部品。
【請求項３】
隣り合う２つの前記接続端子の挿通孔の中心を通る直線同士が交差しないように、前記筒状部が配設されていることを特徴とする請求項２に記載の電気部品。
【請求項４】
前記接続端子は、前記筐体から延出された延出部を有し、前記筒状部の一端側には、鍔状部が設けられており、前記延出部の先端側に前記鍔状部が配設されていることを特徴とする請求項１ないし請求項３のいずれかに記載の電気部品。
【請求項５】
前記接続端子の前記挿通孔には、前記電線が挿通されるとともに、前記筒状部が変形されて、前記接続端子と前記電線とが接続されることを特徴とする請求項１ないし請求項４のいずれかに記載の電気部品。
【請求項６】
前記電線が挿通された前記筒状部は、封止部材によって覆われていることを特徴とする請求項５に記載の電気部品。
【発明の詳細な説明】
【技術分野】
【０００１】
本発明は、電線により外部と電気的な接続の可能な電気部品に関し、特に電線の引き回しに自由度のある電気部品に関するものである。
【背景技術】
【０００２】
例えば、自動車等に搭載されている電気部品は、電線を介して接続されることが多い。また昨今、自動車の電子化が進み、従来の限られたスペースにより多くの電気部品を搭載する為、より電線の引き回しの自由度のある電気部品が求められている。
【０００３】
電線を有する電気部品としては、下記の特許文献１に記載の電気部品が知られている。以下、特許文献１に記載の電線を有する電気部品について図８を用いて説明する。図８は特許文献１に記載の電線（ハーネス）を有する電気部品ＳＷを示す図である。本来は接続端子部Ｔにはシール剤が充填されているが、説明を容易にするため図示していない。
【０００４】
特許文献１に記載の電気部品は、図８に示すように、電気部品ＳＷの接続端子部ＴにハーネスＨをそれぞれ接続し、接続端子部Ｔの周囲（Ａ部）はシール剤によって覆われている。
【先行技術文献】
【特許文献】
【０００５】
【特許文献１】特許第３０３８２８３号公報
【発明の概要】
【発明が解決しようとする課題】
【０００６】
しかしながら、特許文献１に記載の電気部品ＳＷは、製品の構成上ハーネスＨを一方向にしか引き出せないため、同時に搭載される他の電気部品が増え、その周囲に配置された場合にハーネスＨの引き回しがしにくくなる事が考えられる。
【０００７】
本発明は、上述した課題を解決して、電線の引き回しに自由度のある電気部品を提供するものである。
【課題を解決するための手段】
【０００８】
請求項１に記載の電気部品においては、筐体と、該筐体から突出した隣り合う２つの接続端子とを備えた電気部品において、前記接続端子は、電線を挿通可能な挿通孔が形成された筒状部を有し、隣り合う２つの前記接続端子の筒状部は、前記筐体に対して互いに異なる角度で突出して設けられているとともに、当該筒状部は、前記挿通孔の一端側と他端側のいずれの方向からでも前記電線を挿通可能に、前記筐体から離間して配設されている、という特徴を有する。
【０００９】
請求項２に記載の電気部品においては、２つの前記接続端子の筒状部は、前記筐体の側面と対向して配置されるとともに、前記接続端子の前記挿通孔の中心を通る直線が前記側面に沿った平面に対してそれぞれ斜めに交差するように形成されている、という特徴を有する。
【００１０】
請求項３に記載の電気部品においては、隣り合う２つの前記接続端子の挿通孔の中心を通る直線同士が交差しないように、前記筒状部が配設されている、という特徴を有する。
【００１１】
請求項４に記載の電気部品においては、前記接続端子は、前記筐体から延出された延出部を有し、前記筒状部の一端側には、鍔状部が設けられており、前記延出部の先端側に前記鍔状部が配設されている、という特徴を有する。
【００１２】
請求項５に記載の電気部品においては、前記接続端子の前記挿通孔には、前記電線が挿通されるとともに、前記筒状部が変形されて、前記接続端子と前記電線とが接続される、という特徴を有する。
【００１３】
請求項６に記載の電気部品においては、前記電線が挿通された前記筒状部は、封止部材によって覆われている、という特徴を有する。
【発明の効果】
【００１４】
請求項１の発明によれば、挿通孔の一端側と他端側のいずれの方向からでも筒状部に電線を挿通可能としたことで、電線の引き出し方の自由度が高くなる。また、隣り合う２つの筒状部を筐体に対して互いに異なる角度に設けるとともに、筐体から離間して配設する構成としたことにより、電線の引き回しがしやすくなる。したがって、周囲に搭載される電気部品の配置に合わせて電線を引き出す方向を選択することができ、電線の引き回しの自由度が高くなる。よって、電線の引き回しに自由度のある電気部品を提供することができる、という効果を奏する。
【００１５】
請求項２の発明によれば、挿通孔の中心を通る直線を接続端子が突出している筐体の側面に沿った平面に対して斜めに交差するように設けることで、挿通孔のどちら側へ電線を挿通する場合にも挿通孔の入り口周辺に電線引き回しの空間が確保でき、電線と接続端子との接続部の引き回しが容易になり、電線の引出方向の自由度がよりよくなる、という効果を奏する。
【００１６】
請求項３の発明によれば、隣り合う２つの接続端子の挿通孔の中心を通る直線同士が交差しないように、筒状部が配設されていることで、接続端子同士が干渉し難くなるとともに、筒状部に接続される電線同士も干渉し難くなり、電線の引き回しがより容易になる。したがって、電線の引出方向の自由度をより高くすることができる、という効果を奏する。  
【００１７】
請求項４の発明によれば、筒状部の一端側に鍔状部を設けることで、筒状部の強度を高めることができるので、接続端子に電線を取り付ける際に、筒状部の突出方向が変わってしまうような不具合が発生しにくいため、筒状部に接続された電線を所定の方向へ引き出すことができる、という効果を奏する。
【００１８】
請求項５の発明によれば、筒状部をかしめて電線と電気的に接続していることで、半田や溶接による接続と比較して、製造設備費用などの面で安価に対応できる、という効果を奏する。
【００１９】
請求項６の発明によれば、接続端子と電線との接続部分の周囲を封止部材で覆うことで、不本意な力が接続端子と電線との接続部分にかかった場合でも外れにくくなり、より確実に接続端子と電線との接続を保持することが可能となる、という効果を奏する。
【００２０】
以上より、本発明によれば、電線の引き回しに自由度のある電気部品を提供することができる。
【図面の簡単な説明】
【００２１】
【図１】本実施形態における電気部品１００の外観を示す斜視図である。
【図２】本実施形態における電気部品１００を図１に示すＹ２方向側から見た状態を示す側面図である。
【図３】本実施形態における電気部品１００を図１に示すＸ１方向側から見た状態を示す側面図である。
【図４】本実施形態における電線４の引き回しの例を示す斜視図
【図５】図４（ｂ）に示す接続端子２と電線４とが接続された状態を示す拡大図である。
【図６】封止部材３の取り付け状態の一例を示す斜視図である。
【図７】電線４を側方に引き回した場合の封止部材３の取り付け状態を示す斜視図である。
【図８】特許文献１に記載の電線を有する電気部品ＳＷを示す図である。
【発明を実施するための形態】
【００２２】
［第１実施形態］
以下に第１実施形態における電気部品１００について説明する。
【００２３】
まず始めに本実施形態における電気部品１００の構成について図１ないし図３を用いて説明する。図１は本実施形態における電気部品１００の外観を示す斜視図である。図１においては、封止部材３は接続端子２に接続される電線４の引き出し方向によって形状が異なるため、封止部材３および電線４を破線で模式的な形状のみ示す。図２は本実施形態における電気部品１００を図１に示すＹ２方向側から見た状態を示す側面図である。図２においては、説明を容易にするために封止部材３は記載していない。図３は本実施形態における電気部品１００を図１に示すＸ１方向側から見た状態を示す側面図である。なお、図３においては説明を容易にするために封止部材３および電線４を図示していない。なお、図１および図２に示す電線４の引き回しの方向は、引き回しの一例を示すものである。
【００２４】
本実施形態の電気部品１００は、図１に示すように、操作部１ａを有した筐体１と、筐体１から突出した隣り合う２つの接続端子２と、接続端子２を外部から遮断する封止部材３と、外部と電気的に接続される電線４と、を備えている。電気部品１００は、筐体１の操作部１ａを押圧操作することで、出力を変化させることが可能であり、接続端子２から外部に出力される。
【００２５】
筐体１は、略直方体形状に形成された本体部１ｂと、本体部１ｂの一面（図１ではＺ１方向側の面）から突出して形成された操作部１ａを有する。本実施形態においては、電気部品１００はいわゆるスイッチ装置であり、詳細な説明および図示は省略するが、本体部１ｂの内部には操作部１ａの動作に連動して駆動される可動接点と、可動接点を介して導通状態が切り替えられる２つの固定接点とが配設されている。筐体１は、前記可動接点と前記固定接点とが接離し２つの固定接点間の導通状態を切り替えることで出力を変えることができる。また、操作部１ａは、例えばコイルバネのような図示しない付勢部材により、操作部１ａが本体部１ｂの一面から突出する方向（Ｚ１方向）へ付勢されている。そのため、操作部１ａを押圧操作したあとに押圧を解除すると、操作部１ａは押圧操作前の位置まで復帰し、筐体１の内部に配設された固定接点の導通状態も押圧操作前の状態に戻る。
【００２６】
接続端子２は、金属板からなり、図２に示すように、本体部１ｂの一面（図２ではＸ１方向側の面であり、端子面１ｃとする）から突出して形成されており、筐体１の内部に配設された図示しない前記固定接点とそれぞれ一体に形成されている。接続端子２は、筐体１の端子面１ｃから延出された延出部２ｃをそれぞれ有している。また、接続端子２は、電線４を挿通可能な挿通孔２ｂが形成された筒状部２ａをそれぞれ有し、筒状部２ａの一端側には、鍔状部２ｄが設けられており、延出部２ｃの先端側に鍔状部２ｄが配設されている。隣り合う２つの接続端子２の筒状部２ａは、筐体１に対して互いに異なる角度（角度ａ１、角度ａ２）で突出して設けられている。なお、本実施形態においては、角度ａ１＝１３５°（−４５°）、角度ａ２＝４５°で形成されている。すなわち、端子面１ｃに対する鍔状部２ｄからの筒状部２ａの突出方向は、２つの接続端子２で互いに異なる角度となるように構成されている。また、筒状部２aは、挿通孔２ｂの一端側と他端側のいずれの方向からでも電線４を挿通可能に、図２に示すＤ部のように筐体１から離間して配設されている。すなわち、２つの接続端子２の筒状部２ａは、筐体１の側面（端子面１ｃ）と対向して配置されるとともに、接続端子２の挿通孔２ｂの中心を通る直線（直線Ｌ１と直線Ｌ２）が側面に沿った平面に対してそれぞれ斜めに交差するように形成されている。また、図３に示すように、隣り合う２つの接続端子２の挿通孔２ｂの中心を通る直線Ｌ１と直線Ｌ２とが交差しないように、筒状部２ａが配設されている。なお、筒状部２ａはバーリング加工によって形成されている。
【００２７】
封止部材３は、合成樹脂材からなり、図１に示すように、略直方体状に形成されている。
【００２８】
電線４は、金属線または複数の金属線を束ねたものの周囲を、絶縁性を有する素材で被覆されたものである。なお、電気的な接続を行なう部分、例えば、接続端子２と接続される部分については被覆が剥がされている。
【００２９】
次に、接続端子２と電線４との接続方法について図２、図４および図５を用いて説明する。図４は、本実施形態における電線４の引き回しの例を示す斜視図であり、図４（ａ）は電線４の引き回しの一例を示す斜視図であり、図４（ｂ）は電線４の引き回しの別例を示す斜視図である。図５は、図４（ｂ）に示す接続端子２と電線４とが接続された状態を示す拡大図である。
【００３０】
ここで、筒状部２ａにおいて、鍔状部２ｄのある側を一端側とし、対向する側を他端側とする。接続端子２は、図２に示すように、電線４を筒状部２ａの他端側からだけでなく、一端側からも挿入可能である。したがって、例えば図４（ａ）に示すように、両方の筒状部２ａの他端側から電線４を挿入するとともに、側方（Ｘ１方向）へ引き回すことができる。また、例えば図４（ｂ）に示すように、一方の筒状部２ａには電線４を一端側から挿入し、かつ他方の筒状部２ａには電線４を他端側から挿入するとともに、下方（Ｚ２方向）へ引き回すことができる。以下、図４（ｂ）に示すように電線４を下方に引き回した場合を例として説明をする。
【００３１】
図４（ｂ）に示すように、接続端子２の挿通孔２ｂには、電線４が挿通される。電線４が挿通された筒状部２ａは、挿通された電線４の方向へ力が加えられ、筒状部２ａが電線４に接触するまで変形されて、接続端子２と電線４とが接続される。本実施形態においては、図５に示すＰ部のように、筒状部２ａを４方向から変形させて接続端子２と電線４とが接続されている。この時、電線４を所定の力で引っ張っても筒状部２ａから抜け落ちない程度に、電線４は筒状部２ａによって挟持されている。このように筒状部２ａが電線４に接触するまで変形し、電線４を筒状部２ａによって挟持することで、機械的にも電気的にも接続端子２と電線４とが接続される。
【００３２】
次に封止部材３の取り付けについて、主に図４（ｂ）に示すように電線４を下方に引き回した場合を例として、図４ないし図７を用いて説明をする。図６は封止部材３の取り付け状態を示す斜視図であり、図６（ａ）は封止部材３が取り付けられる前の状態を示す斜視図であり、図６（ｂ）は封止部材３が取り付けられた状態の一例を示す斜視図である。図７は電線４を側方に引き回した場合の封止部材３の取り付け状態を示す斜視図であり、図７（ａ）は封止部材３が取り付けられる前の状態を示す斜視図であり、図７（ｂ）は封止部材３が取り付けられた状態の一例を示す斜視図である。
【００３３】
図５に示すように接続端子２と電線４とが接続されると、本実施形態においては、筐体１、接続端子２および電線４を成形金型に設置し、射出成形により接続端子２および接続端子２に接続された電線４の一部の周囲（図６（ａ）に破線で示したＭ部）に空間ができないように合成樹脂材を充填させて、直方体状に形成する。この合成樹脂材を充填させて直方体状に形成されたものが封止部材３となる。したがって、電線４が挿通されるとともに電線４に接続された筒状部２ａは、封止部材３によって覆われている。このように形成された封止部材３は、図６（ｂ）に示すように、筐体１と一体に形成されている。これにより電気部品１００が形成される。
【００３４】
なお、図４（ａ）に示すように電線４を側方に引き出した場合も同様に、筒状部２ａを変形させて接続端子２と電線４とを接続させた後に封止部材３を形成することで、図７に示すように電気部品１００が形成される。
【００３５】
以下、本実施形態としたことによる効果について説明する。
【００３６】
本実施形態の電気部品１００では、筐体１と、筐体１から突出した隣り合う２つの接続端子２とを備えた電気部品１００において、接続端子２は、電線４を挿通可能な挿通孔２ｂが形成された筒状部２ａを有し、隣り合う２つの接続端子２の筒状部２ａは、筐体１に対して互いに異なる角度で突出して設けられているとともに、筒状部２ａは、挿通孔２ｂの一端側と他端側のいずれの方向からでも電線４を挿通可能に、筐体１から離間して配設されている、構成とした。
【００３７】
このように、挿通孔２ｂの一端側と他端側のいずれの方向からでも筒状部２ａに電線４を挿通可能としたことで、電線４の引き出し方の自由度が高くなる。また、隣り合う２つの筒状部２ａを筐体１に対して互いに異なる角度に設けるとともに、筐体１から離間して配設する構成とした。これにより、挿通孔２ｂの一端側と他端側のいずれの方向においても挿通孔２ｂの端部同士が離れるとともに、筐体１からも離れて配置されるため、電線４の引き回しがしやすくなる。したがって、周囲に搭載される電気部品１００の配置に合わせて電線４を引き出す方向を選択することができ、電線４の引き回しの自由度が高くなる。よって、電線４の引き回しに自由度のある電気部品１００を提供することができる、という効果を奏する。
【００３８】
また、本実施形態の電気部品１００では、２つの接続端子２の筒状部２ａは、筐体１の側面と対向して配置されるとともに、接続端子２の挿通孔２ｂの中心を通る直線（直線Ｌ１と直線Ｌ２）が側面に沿った平面に対してそれぞれ斜めに交差するように形成されている、構成とした。
【００３９】
これにより、挿通孔２ｂの中心を通る直線（直線Ｌ１と直線Ｌ２）を接続端子２が突出している筐体１の側面に沿った平面に対して斜めに交差するように設けることで、挿通孔２ｂのどちら側へ電線４を挿通する場合にも挿通孔２ｂの入り口周辺に電線４を引き出すための空間が確保でき、電線４と接続端子２との接続部の引き回しが容易になり、電線４の引出方向の自由度がよりよくなる、という効果を奏する。また、本実施形態においては、筐体１の側面に沿った平面に対して一方の筒状部２ａを１３５°（−４５°）、他方の筒状部２ａを４５度とすることで、電気部品１００の本体に近い側においても電線４の引き回しの空間が確保でき、電線４の引き回しがより容易になる、という効果を奏する。
【００４０】
また、本実施形態の電気部品１００では、隣り合う２つの接続端子２の挿通孔２ｂの中心を通る直線同士が交差しないように、筒状部２ａが配設されている、構成とした。
【００４１】
これにより、隣り合う２つの接続端子２の挿通孔２ｂの中心を通る直線同士が交差しないように、筒状部２ａが配設されていることで、接続端子２同士が干渉し難くなるとともに、筒状部２ａに接続される電線４同士も干渉し難くなり、電線４の引き回しがより容易になる。したがって、電線４の引出方向の自由度をより高くすることができる、という効果を奏する。
【００４２】
また、本実施形態の電気部品１００では、接続端子２は、筐体１から延出された延出部２ｃを有し、筒状部２ａの一端側には、鍔状部２ｄが設けられており、延出部２ｃの先端側に鍔状部２ｄが配設されている、構成とした。
【００４３】
これにより、筒状部２ａの一端側に鍔状部２ｄを設けることで、筒状部２ａの強度を高めることができるので、接続端子２に電線４を取り付ける際に、取付作業により何らかの力が加わったとしても、変形して筒状部２ａの突出方向が変わってしまうような不具合が発生しにくい。したがって、筒状部２ａに接続された電線４を所定の方向へ引き出すことができる、という効果を奏する。
【００４４】
また、本実施形態の電気部品１００では、接続端子２の挿通孔２ｂには、電線４が挿通されるとともに、筒状部２ａが変形されて、接続端子２と電線４とが接続される、構成とした。
【００４５】
これにより、筒状部２ａをかしめて電線４と接続していることで、半田や溶接による接続と比較して、製造設備費用などの面で安価に対応できる、という効果を奏する。また、筒状部２ａと電線４とを、半田付けや溶接によって接続する場合には、半田温度や溶接時間など多くの作業条件を管理する必要があるが、筒状部２ａをかしめて接続しているため作業条件の管理（設定）が容易である。また、筒状部２ａをかしめて電線４と電気的に接続していることで、半田を使わずに電気的に接続することができるため、鉛フリー化という観点から環境負荷が軽減される。
【００４６】
また、本実施形態の電気部品１００では、電線４が挿通された筒状部２ａは、封止部材３によって覆われている、構成とした。
【００４７】
これにより、接続端子２と電線４との接続部分の周囲を封止部材３で覆うことで、不本意な力が接続端子２と電線４との接続部分にかかった場合でも外れにくくなり、より確実に接続端子２と電線４との接続を保持することが可能となる。また本実施形態においては、封止部材３を筐体１と一体に形成することで、不本意な力が接続端子２と電線４との接続部分にかかった場合でも接続端子２の変形や破断を防止することができ、より安定した電気的な接続を保持することができるという効果を奏する。また、本実施形態においては、封止部材３を接続端子２の周囲に射出成形で形成している。別の手段として、封止部材３を内部が中空の部品で設け、その内部に非導電性の接着剤などを充填して被覆するとともに筐体１と一体に係止する方法もある。このように封止部材３を内部が中空の部品で設けて、内部に接着剤などを充填して被覆する方法に比べて、本実施形態の方法は容易に、かつ安価に対応することができる。
【００４８】
また、本実施形態の電気部品１００では、筒状部２ａはバーリング加工によって形成されている、構成とした。
【００４９】
これにより、筒状部２ａをバーリング加工によって形成することで、折り曲げ加工で形成した場合と比較して筒状部２ａをより小型に形成することが可能となるとともに、より少ない材料での形成が可能となる、という効果を奏する。
【００５０】
また、本実施形態の電気部品１００では、筐体１に配設された固定接点と接続端子２とを一体に形成する、構成とした。
【００５１】
これにより、固定接点と接続端子２とを接続するための接続機構を追加するなど、部品点数を増やすことなく構成することが可能となり、製品をより小型にすることができる、という効果を奏する。
【００５２】
以上のように、本発明の実施形態に係る電気部品を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５３】
（１）本実施形態において、電線４の引き回し方向が側方のものと、下方のものとを例示したが、上方へ引き回したり、一方の電線４を上方へ引き回すとともに他方の電線４を下方へ引き回すなど、必要に応じて電線４の引き回しの方向を変えても良い。
【００５４】
（２）本実施形態において、電気部品１００（筐体１）はスイッチ装置として説明したが、可変抵抗器やエンコーダなどの電気部品であっても良い。
【００５５】
（３）本実施形態において、接続端子２は２本として説明したが、筐体１の構造に合わせて接続端子２の本数を変えても良い。
【００５６】
（４）本実施形態において、筒状部２ａと電線４とを接続するために、筒状部２ａを４箇所変形させて電線４を筒状部２ａで挟持する構造としているが、変形をさせる箇所、箇所数などは、筒状部２ａと電線４との電気的および機械的接続に問題の無い範囲で変更しても良い。
【符号の説明】
【００５７】
１      筐体
１ａ    操作部
１ｂ    本体部
２      接続端子
２ａ    筒状部
２ｂ    挿通孔
２ｃ    延出部
２ｄ    鍔状部
３      封止部材
４      電線
１００  電気部品
【図１】
2014203728.tif 000003
【図２】
2014203728.tif 000004
【図３】
2014203728.tif 000005
【図４】
2014203728.tif 000006
【図５】
2014203728.tif 000007
【図６】
2014203728.tif 000008
【図７】
2014203728.tif 000009
【図８】
2014203728.tif 000010